(57)【要約】      （修正有）【課題】建築，構築物の壁面の表面側に設置することによって、その壁面の表面側を緑化する壁面緑化パネルと、そのような壁面緑化パネルを用いて壁面の緑化を行う工法に関し、蔓性植物を所望の方向へ登攀させることができ、それによって建築物等において良好な景観を得ることができ、且つその壁面緑化の施工も非常に容易且つ短期間に行うことのできる壁面緑化パネルを提供する。【解決手段】蔓性植物の付着根が付着しうる素材で構成されて該蔓性植物の登攀を誘導しうる登攀誘導路２がパネル本体１に設けられ、且つ該登攀誘導路２における登攀を補助的に促進する登攀補助部３が前記パネル本体１の登攀誘導路２以外の部分に設けられている。【選択図】図１
2007306862.tif 000002
【特許請求の範囲】
【請求項１】
蔓性植物の付着根が付着しうる素材で構成されて該蔓性植物の登攀を誘導しうる登攀誘導路（２）がパネル本体（１）に設けられ、且つ該登攀誘導路（２）における登攀を補助的に促進する登攀補助部（３）が前記パネル本体（１）の登攀誘導路（２）以外の部分に設けられていることを特徴とする壁面緑化パネル。
【請求項２】
登攀補助部（３）が、蔓性植物の付着根が付着し難い素材で構成されている請求項１記載の壁面緑化パネル。
【請求項３】
登攀補助部（３）を凸状に形成することにより、登攀誘導路（２）が凹状に形成されている請求項１又は２記載の壁面緑化パネル。
【請求項４】
凹状に形成された登攀誘導路（２）の幅が、５〜３０ｃｍである請求項３記載の壁面緑化パネル。
【請求項５】
凸状に形成された登攀補助部（３）の突出部分の寸法が、５〜２０ｃｍである請求項３又は４記載の壁面緑化パネル。
【請求項６】
登攀誘導路（２）が縦方向に形成されている請求項１乃至５のいずれかに記載の壁面緑化パネル。
【請求項７】
複数のパネル本体（１）を縦横に連続的に壁面に配置した際に、相互に隣接するパネル本体（１）の登攀誘導路（２）が縦方向に連続するように、登攀誘導路（２）がパネル本体（１）上に配設されている請求項６記載の壁面緑化パネル。
【請求項８】
登攀誘導路（２）が、パネル本体（１）の面積の２０％以上の面積を占有して配設されている請求項１乃至７のいずれかに記載の壁面緑化パネル。
【請求項９】
請求項１乃至８のいずれかに記載の壁面緑化パネルを壁面の縦横に多数個配置して施工することを特徴とする壁面の緑化工法。
【発明の詳細な説明】
【技術分野】
【０００１】
本発明は、建築，構築物の壁面の表面側に設置することによって、その壁面の表面側を緑化する壁面緑化パネルと、そのような壁面緑化パネルを用いて壁面の緑化を行う工法に関する。
【背景技術】
【０００２】
近年、自然木の少ない都市部においては建築，構築物等の壁面の緑化を行うことが盛んに試みられており、その緑化の工法として種々の方法がある。しかし、いずれの方法も実用化が十分にはなされていないのが現状である。これは、施工が大掛かりとなること、及び都市部の建築物、構築物等の壁面で植物を生育させることは現実には困難であること等の理由による。
【０００３】
そこで、建築物、構築物等の壁面において登攀させ易い蔓性植物を用いて壁面緑化を行うことも試みられており、そのような技術を開示するものとして、たとえば下記特許文献１、２のような特許出願もなされている。
【０００４】
【特許文献１】特開２００３−３８０４０号公報
【特許文献２】特開２００５−８３０４１号公報
【０００５】
しかしながら、このような特許文献１や特許文献２に開示された技術は、網状物や格子状物を蔓性植物の登攀助材として用いるものであり、そのような網状物等の登攀助材を用いる場合、蔓性植物が網状物や壁面において無作為に伸長するために、蔓性植物が生育し登攀して緑化がなされる箇所の形状を調整することが難しく、結果的には良好でない景観が現出されることとなっていた。
【発明の開示】
【発明が解決しようとする課題】
【０００６】
本発明は、このような問題点を解決するためになされたもので、蔓性植物を所望の方向へ登攀させることができ、それによって建築物等において良好な景観を得ることができ、且つその壁面緑化の施工も非常に容易且つ短期間に行うことのできる壁面緑化パネルを提供することを課題とするものである。
【課題を解決するための手段】
【０００７】
本発明は、このような課題を解決するためになされたもので、壁面緑化パネルに係る請求項１記載の発明は、蔓性植物の付着根が付着しうる素材で構成されて該蔓性植物の登攀を誘導しうる登攀誘導路がパネル本体に設けられ、且つ該登攀誘導路における登攀を補助的に促進する登攀補助部が前記パネル本体の登攀誘導路以外の部分に設けられていることを特徴とする。
【０００８】
また請求項２記載の発明は、請求項１記載の壁面緑化パネルにおいて、登攀補助部が、蔓性植物の付着根が付着し難い素材で構成されていることを特徴とする。さらに請求項３記載の発明は、請求項１又は２記載の壁面緑化パネルにおいて、登攀補助部を凸状に形成することにより、登攀誘導路が凹状に形成されていることを特徴とする。
【０００９】
さらに請求項４記載の発明は、請求項３記載の壁面緑化パネルにおいて、凹状に形成された登攀誘導路の幅が、５〜３０ｃｍであることを特徴とする。さらに請求項５記載の発明は、請求項３又は４記載の壁面緑化パネルにおいて、凸状に形成された登攀補助部の突出部分の寸法が、５〜２０ｃｍであることを特徴とする。さらに請求項６記載の発明は、請求項１乃至５のいずれかに記載の壁面緑化パネルにおいて、登攀誘導路が縦方向に形成されていることを特徴とする。
【００１０】
さらに請求項７記載の発明は、請求項６記載の壁面緑化パネルにおいて、複数のパネル本体を縦横に連続的に壁面に配置した際に、相互に隣接するパネル本体の登攀誘導路が縦方向に連続するように、登攀誘導路がパネル本体上に配設されていることを特徴とする。さらに請求項８記載の発明は、請求項１乃至７のいずれかに記載の壁面緑化パネルにおいて、登攀誘導路、パネル本体の面積の２０％以上の面積を占有して配設されていることを特徴とする。
【００１１】
さらに壁面の緑化工法に係る請求項９記載の発明は、請求項１乃至８のいずれかに記載の壁面緑化パネルを壁面の縦横に多数個配置して施工することを特徴とする。
【発明の効果】
【００１２】
本発明の壁面緑化パネルは、上述のように、蔓性植物の付着根が付着しうる素材で構成されて該蔓性植物の登攀を誘導しうる登攀誘導路がパネル本体に設けられ、且つ該登攀誘導路における登攀を補助的に促進する登攀補助部が前記パネル本体の登攀誘導路以外の部分に設けられているものであるため、このような壁面緑化パネルを多数壁面に設置し、蔓性植物を生育させると、蔓性植物の付着根は登攀誘導路の部分に付着し、その登攀誘導路に沿って生育しながら登攀することとなる。
【００１３】
この場合において、蔓性植物は登攀誘導路以外の部分に設けられた登攀補助部によって補助的に登攀を促進されつつ、登攀誘導路のみに沿って登攀していくので、従来の網状物や格子状物を蔓性植物の登攀助材として用いる場合のように、蔓性植物が壁面において無作為に伸長するようなことがなく、登攀誘導路に沿って蔓性植物を生育させることができるので、予め登攀誘導路をパネル本体上の所望の箇所に配置しておくことで、壁面において緑化がなされる箇所の形状を所望の形状とすることができ、
その結果、建築物等における壁面の景観を良好な状態に現出させることができるという効果がある。
【００１４】
また、蔓性植物はパネル本体上の登攀誘導路に沿って生育、登攀していくので、壁面全体を緑化する期間も短期間に行うことのできるという効果がある。
【００１５】
また登攀補助部を、蔓性植物の付着根が付着し難い素材で構成した場合には、蔓性植物の根は登攀補助部に付着する可能性が少ないので、より確実に登攀誘導路に沿って蔓性植物を生育、登攀させることができ、所望箇所への緑化をより確実に行うことができ、また壁面全体を緑化する期間もさらに短縮することが可能となる。
【００１６】
さらに登攀補助部を凸状に形成することにより、登攀誘導路が凹状に形成されることとなるので、蔓性植物は登攀補助部で案内されながら登攀誘導路に沿って登攀することとなり、さらに登攀誘導路に沿って登攀し易い状態となり、その分、所望箇所への緑化を一層確実に行うことができ、また緑化の施工期間をさらに短縮することができる。
【００１７】
この場合、凹状に形成された登攀誘導路の幅を５〜３０ｃｍとした場合には、その
凹状に形成された登攀誘導路の両側の登攀補助部に案内されつつ、蔓性植物が登攀誘導路に沿って確実に登攀することとなる。また凸状に形成された登攀補助部の突出部分の寸法を５〜２０ｃｍとした場合には、登攀する蔓性植物が凹状に形成された登攀誘導路から極端にはみ出ることもなく、また登攀補助部によって蔓性植物の生育が阻害されることもない。
【００１８】
また登攀補助部を縦方向に形成することによって、壁面などにおいて下側から上側
に向かって縦方向に登攀するという蔓性植物の特性を活かすことができる。
【００１９】
さらに複数のパネル本体を縦横に連続的に壁面に配置した際に、相互に隣接するパネル本体の登攀補助部が縦方向に連続するように、登攀補助部がパネル本体上に配設されている場合には、壁面全体において蔓性植物の縦方向への登攀を確実に促進させることができ、所望箇所への緑化をさらに確実に行うことができるとともに緑化の施工期間を一層短縮することができる。
【００２０】
さらに登攀補助部がパネル本体の面積の２０％以上の面積を占有して配設されている場合には、壁面全体における緑化部分の面積が制限されることもなく、その結果、建築物等における景観が損なわれることもない。
【発明を実施するための最良の形態】
【００２１】
以下、本発明の実施形態について図面に従って説明する。
【００２２】
本実施形態の緑化用パネルのパネル本体１は、図１乃至図４に示すように、蔓性植物の登攀を誘導しうる登攀誘導路２と、該登攀誘導路２における登攀を補助的に促進する登攀補助部３とを具備して構成されている。
【００２３】
登攀誘導路２は、複数の登攀用マットをパネル本体１上に配設することによって構成されている。より具体的には、この登攀用マットとしては、短い登攀用マット２ａと、長い登攀用マット２ｂとの２種類の登攀用マットが用いられる。そして、図１に示すように、４個の短い登攀用マット２ａが、パネル本体１上の中央の上下２箇所及び右側の上下２箇所で縦方向に配設されており、２個の長い登攀用マット２ｂが、パネル本体１上の中央及び下側で横方向に配設されている。
【００２４】
このような登攀用マット２ａ、２ｂは、吸着性の蔓性植物の付着根が付着しうる素材で構成されている。そのような素材としては、たとえば天然繊維マット、化学繊維マット、多孔質の粒子を吹き付けた板、繊維を吹きつけた板、木板、合板、レンガ仕上げ板、珪藻土板、シラスブロック板、ポーラスコンクリート板、化学繊維の不織布、植物繊維の不織布、ヤシ繊維のシート、発泡樹脂シート、コルクボード、木毛セメント板、発泡コンクリート板等、吸着性の蔓性植物の付着根が侵入して付着しうるような多孔質の素材のもの或いは表面が粗面であるような素材のものを使用することが可能である。
【００２５】
また登攀補助部３は、吸着性の蔓性植物の付着根が付着し難い素材で構成されたマスクシート４と、前記登攀誘導路２の両側に配置されることで該登攀誘導路２を凹状に形成するための凸状体５とからなる。凸状体５は、図２及び図３に示すように、金属製の棒状体を縦横に配置して構成されている。
【００２６】
マスクシート４は、図５に示すように略正方形状のものであり、たとえばポリプロピレン板、ＦＲＰ（繊維強化プラスチック）板、アクリル板、ポリ塩化ビニル樹脂板、その他の合成樹脂板、鉄板、アルミニウム板、タイル板、ガラス板、又はこれらの板に塗装を施したもの等の、表面が比較的平滑な面であるような素材のものによって構成されている。
【００２７】
パネル本体１の背面側には、図２に示すように、金属製の棒状体を縦横に配置して構成されたベースプレート６が具備されている。そして、このベースプレート６の表面側の所定位置に、前記登攀用マット２ａ、２ｂとマスクシート４とが配置されている。
【００２８】
上記金属製の棒状体で構成される凸状体５は、正面側に井桁状に配置された金属製の棒状体であるフロントフレーム８ａと、側面側に配置されたサイドフレーム８ｂと、
４角のコーナー部において斜めに配置されたマスクシート保持フレーム８ｃと、背面側に設けられたバックフレーム８ｄとで構成されている。
【００２９】
さらに、ベースプレート６の４角のコーナー部には、固定部７が設けられている。
この固定部７は、ベースプレート６を壁面等に固定するためのものである。
【００３０】
そして、このような構成からなる緑化パネルを使用する場合には、多数の同じものが準備され、その多数の緑化パネルを壁面の縦横に配置される。
【００３１】
その際、先ずベースプレート６が固定部７で壁面に取り付けられ、次にそのベースプレート６の表面側の所定位置に４個の登攀用マット２ａと、２個の登攀用マット２ｂとを取り付ける。この場合の取付手段は問うものではないが、たとえば接着剤を用いて接着する等の手段によってベースプレート６の表面側に取り付けられる。
【００３２】
次に、図６に示すようにマスクシート４を凸状体５内に差し込み、同図のようにそのマスクシート４が差し込まれた凸状体５の下端側を、予めベースプレート６の横方向に配置された登攀用マット２ｂの上縁側に当接させ、その状態で凸状体５を回動させるようにしてベースプレート６に取り付ける。尚、マスクシート４を凸状体５内に差し込む際、そのマスクシート４は、凸状体５の４角のコーナー部に配置されたマスクシート保持フレーム８ｃで保持させる。より詳しくは、マスクシート４は、４角のコーナー部において、マスクシート保持フレーム８ｃとバックフレーム８ｄとで挟持された状態となる。
【００３３】
このようにして、緑化パネルが壁面に取り付けられこととなり、このような操作を多数の緑化パネルについて同様に行い、その多数の緑化パネルが縦横に隣接するような状態になるように配置することで、壁面緑化の施工が完成する。
【００３４】
この場合において、相互に隣接する緑化パネルのパネル本体１の登攀用マット２ａ、２ｂは、縦横に連続した状態となる。すなわち、パネル本体１に縦方向に配設された
登攀用マット２ａは、多数の緑化パネルにおいて縦方向にすべて連続した状態となり、またパネル本体１に横方向に配設された登攀用マット２ｂは、多数の緑化パネルにおいて横方向にすべて連続した状態となる。
【００３５】
このように多数の緑化パネルが壁面に取り付けられた状態で、蔓性植物による緑化の施工が行われる。この場合、図示しないが、先ず壁面の最下部において、プランター等に土壌を収容し、そのプランター内の土壌には蔓性植物の種子や苗を予め含有させておく。このプランターは、壁面の最下部に配置された上記のような緑化パネルの近傍若しくは直下に設置される。また、このようなプランターを用いることなく、壁面の最下部の自然地盤の土壌に蔓性植物の種子や苗を予め含有させておくことも可能である。
【００３６】
そして、プランター内の土壌中又は自然地盤の土壌中に含有された蔓性植物の種子や苗が生育すると、その蔓性植物の付着根は先ず最下部に配置された緑化パネルのパネル本体１における登攀用マット２ａ、２ｂに付着し、その登攀用マット２ａ、２ｂで構成される登攀誘導路２に沿って生育しつつ登攀する。
【００３７】
この場合において、相互に隣接する緑化パネルのパネル本体１の登攀用マット２ａ、２ｂは、縦横に連続した状態となっているので、蔓性植物は、壁面上で縦横に連続した状態に配置された登攀用マット２ａ、２ｂで構成される登攀誘導路２に沿って登攀し、最終的には、壁面上に配置されたすべての緑化パネルの登攀誘導路２内に侵入することとなる。
【００３８】
また、この場合において、パネル本体１の登攀誘導路２以外の部分に設けられた
登攀補助部３の一構成部材であるマスクシート４は、蔓性植物の根が付着し難い素材で構成されているので、蔓性植物はマスクシート４が設けられた登攀補助部３側へ侵入する可能性が少なく、従って、そのことによって蔓性植物は一層登攀誘導路２に沿って登攀し易くなり、壁面全体における所望箇所への緑化をより確実に行うことができ、また壁面全体を緑化する期間もさらに短縮することが可能となる。
【００３９】
さらに、そのマスクシート４を保持している凸状体５が、パネル本体１上の４箇所に設けられ、その４箇所の凸状体５間が登攀誘導路２として形成されているので、その登攀誘導路２が設けられた部分は凹状となり、従って、登攀誘導路２に沿って登攀する蔓性植物は、両側の凸状体５に案内されながら、登攀誘導路２に沿って確実に登攀することとなる。また、登攀誘導路２の両側に凸状体５が設けられていることによって、登攀誘導路２を登攀する蔓性植物の風による振れや揺れ等が好適に防止されることとなる。
【００４０】
以上のようにして、多数の緑化用パネルが配置されて壁面全体の縦横に配設された
登攀誘導路２に蔓性植物が登攀し、その結果、蔓性植物が壁面全体の縦横に存在した状態となっているので、緑化される箇所が縦横の所望の位置になされ、壁面全体の景観が非常に良好となる。
【００４１】
尚、上記実施形態で用いられた吸着性の蔓性植物の種類は問うものではなく、たとえばヘデラヘリックス、ヘデラカナリエンシス、ナツヅタ、オオイタビカズラ、キヅタ等が用いられる。
【００４２】
また上記実施形態では、吸着性の蔓性植物のみを用い、その吸着性の蔓性植物を登攀誘導路２で登攀させることで壁面緑化を行ったが、このような吸着性の蔓性植物とは別に、巻きつる植物を、上記登攀補助部３の凸状体５を構成する金属製の棒状体に
巻きつかせることによって、吸着性の蔓性植物と巻きつる植物との２種類の蔓性植物によって、登攀誘導路２のみならず登攀補助部３においても緑化がなされることとなる。尚、蔓性植物には、このような吸着性の蔓性植物や巻きつる植物があるが、本発明において単に「蔓性植物」という場合には、特に断らない限り、吸着性の蔓性植物をいうものとする。
【００４３】
さらに、上記実施形態では、金属製の棒状体で構成される凸状体５を、正面側に井桁状に配置された金属製の棒状体であるフロントフレーム８ａと、側面側に配置されたサイドフレーム８ｂと、４角のコーナー部において斜めに配置されたマスクシート保持フレーム８ｃと、背面側に設けられたバックフレーム８ｄとで構成したが、凸状体５の構成は該実施形態に限定されるものではない。
【００４４】
また、このような金属製の棒状体を縦横に配置することで凸状体５を構成することも本発明に必須の条件ではなく、たとえば合成樹脂等の成形品によって凸状体５を構成することも可能である。
【００４５】
これらの各種凸状体５間で凹状に形成された登攀誘導路２の幅も特に限定されるものではないが、５〜３０ｃｍとされることが望ましい。３０ｃｍ以下としたのは、複数種の吸着性の蔓性植物は、その茎部両側に突出する葉部全体の幅がおおむね３０ｃｍ以下であり、３０ｃｍを超えると登攀誘導路で登攀する蔓性植物の振れや揺れが生じるおそれがあるからである。また５ｃｍ以上としたのは、５ｃｍ未満になると、凹状の登攀誘導路の幅が狭すぎて、蔓性植物が圧迫されてその生育が阻害されるおそれがあるからである。
【００４６】
さらに、凸状体５の突出部分（厚み）の寸法は、５〜２０ｃｍであることが望ましい。５ｃｍ未満になると、蔓性植物が凹状部分の登攀誘導路２からはみ出し、登攀誘導路２に沿って登攀されないおそれがあるからであり、また２０ｃｍを超えると、凹状部分が深すぎて、蔓性植物が表面に現出されないおそれが生じ、壁面緑化の本来の意義が喪失されるおそれがあるからである。
【００４７】
さらに、上記実施形態では、４個の短い登攀用マット２ａをパネル本体１上の中央の上下２箇所及び右側の上下２箇所で縦方向に配設し、２個の長い登攀用マット２ｂをパネル本体１上の中央及び下側で横方向に配設することによって登攀誘導路２をパネル本体１上に構成したが、登攀誘導路２を構成する登攀用マット２ａ、２ｂの個数や配置態様も該実施形態に限定されるものではない。
【００４８】
また該実施形態のように短い登攀用マット２ａと長い登攀用マット２ｂとを使い分けることも本発明に必須の条件ではなく、長さが同じ１種類の登攀用マットで登攀誘導路２を構成することも可能である。
【００４９】
いずれにしても、緑化すべき箇所に合わせてパネル本体１上における登攀誘導路２の配置態様を選定すべく、登攀用マットが組み合わせて用いられればよいのである。
【００５０】
また、上記実施形態では、登攀用マットによって登攀誘導路２が構成されていたが、
登攀誘導路２を構成する手段も該実施形態の登攀用マットによる手段に限定されない    。
【００５１】
さらに、登攀用マット等の登攀誘導路２を構成する素材も上記実施形態に列挙された以外のものを使用することが可能である。要は、蔓性植物の根を付着させうるような素材で登攀誘導路２が構成されていればよい。
【００５２】
またマスクシート４を構成する素材も上記実施形態に限定されるものではなく、要は、蔓性植物の付着根を付着し難い素材でマスクシート４が構成されていればよい。
尚、マスクシート４は、劣化、デザインの変更等に伴い、緑化パネルを壁面に設置した後も取り替えることができる。
【００５３】
さらに、上記実施形態では、マスクシート４及び凸状体５で登攀補助部３が構成されていたが、いずれか一方のみで登攀補助部３が構成することも可能である。またこのようなマスクシート４や凸状体５以外のもので登攀補助部３を構成することも可能である。
【図面の簡単な説明】
【００５４】
【図１】一実施形態の緑化用パネルの概略正面図。
【図２】同緑化用パネルの概略背面図。
【図３】図１のＡ−Ａ線一部断面側面図。
【図４】図３のＢ部拡大一部断面側面図。
【図５】マスクシートの斜視図。
【図６】緑化用パネルの施工時の一例を示す一部断面側面図。
【符号の説明】
【００５５】
１…パネル本体              ２…登攀誘導路
２ａ、２ｂ…登攀用マット    ３…登攀補助部
４…マスクシート            ５…凸状体
【図１】
2007306862.tif 000003
【図２】
2007306862.tif 000004
【図３】
2007306862.tif 000005
【図４】
2007306862.tif 000006
【図５】
2007306862.tif 000007
【図６】
2007306862.tif 000008